(57)【特許請求の範囲】
【請求項１】
被検眼左右の遠用完全矯正度数から処方度数を得るための調整要因データを記憶するメモリを有し、被検眼の屈折異常を矯正する度数を得るための検眼装置において、完全矯正度数に乱視がある場合は、乱視が斜乱視か直乱視か倒乱視かを判別する判別手段と、倒乱視の場合の乱視矯正量を完全矯正値は超えないが直乱視の乱視矯正量に対して矯正量を大きくする乱視調整度数プログラムと、を備えることを特徴とする検眼装置。
【発明の詳細な説明】
【０００１】
【発明の属する技術分野】
本発明は、被検眼の屈折力を矯正する矯正度数を得るのに好適な検眼装置に関する。
【０００２】
【従来の技術】
被検眼の屈折力を矯正する眼鏡レンズ等を処方する場合には、被検者の屈折状態を正確に検査し、その結果に基づいて装用に適した度数を処方することが重要である。
【０００３】
処方度数を決定するにあたっては、最高視力が得られるように完全矯正度数を求めた上で、被検者が前に使用していた前眼鏡度数を考慮して、違和感がなく疲れない度数にする。
【０００４】
【発明が解決しようとする課題】
しかし、乱視は遠用視と近用視では必ずしも同一ではない。被検眼の矯正を適切に行うには、その乱視が斜乱視、直乱視、あるいは倒乱視かによってその矯正方法を変化させる必要がある。また、このようなことは検眼の知識に乏しい検者や経験の浅い検者では一層困難である。
【０００５】
本発明は、乱視眼の適切な処方度数を得ることができる検眼装置を提供することを技術課題とする。
【０００６】
さらに、検眼の知識に乏しい検者や経験の浅い検者でも、容易に操作できる検眼装置を提供することを技術課題とする。
【０００７】
【課題を解決するための手段】
上記課題を解決するために、本発明は次のような構成を有することを特長とする。
【０００８】
（１）  被検眼左右の遠用完全矯正度数から処方度数を得るための調整要因データを記憶するメモリを有し、被検眼の屈折異常を矯正する度数を得るための検眼装置において、完全矯正度数に乱視がある場合は、乱視が斜乱視か直乱視か倒乱視かを判別する判別手段と、倒乱視の場合の乱視矯正量を完全矯正値は超えないが直乱視の乱視矯正量に対して矯正量を大きくする乱視調整度数プログラムと、を備えることを特徴とする。
【００１１】
【実施例】
以下、本発明の一実施例を図面に基づいて説明する。図１は実施例である検眼装置の全体構成を示す外観図である。
【００１２】
１は被検者と検者の間に配置される検眼テ−ブル、２は自覚式屈折力測定装置２である。自覚式屈折力測定装置２は、種々の光学素子を検眼窓１１に電動で切換え配置する左右一対のレンズユニット１０と、左右のレンズユニット１０を吊り下げる吊り下げ部１２を備える。１３は吊り下げ部１２に取り付けられた近点棒に保持された近用視力表である（遠用検査のときは眼前から取り除かれる）。
【００１３】
３は測定用指標を被検眼眼底に投影し眼底の投影指標像を受光手段で検出することに基づいて眼屈折力を測定する他覚式眼屈折力測定装置である。他覚式眼屈折力測定装置３は検眼テ−ブル１上をスライド可能な移動トレイに載置されており、他覚検査の時には検眼テ−ブル１の中央位置にスライドさせて測定を実行する。
【００１４】
４は検査視標を呈示する投影式の視標呈示装置である。５は自覚式屈折力測定装置２及び投影式視標呈示装置４を操作するためのコントロ−ラ、６は各装置の通信中継を行うリレ−ユニットである。リレ−ユニット６にはレンズメ−タが接続される。
【００１５】
図２はコントロ−ラ５を上から見た図である。３０は検眼情報を表示する液晶のディスプレイである。３１はスイッチ部であり、次のようなスイッチ類を持つ。３２は設定切換えスイッチ群であり、ディスプレイ３０の表示画面をメニュ−画面に切り替えてパラメ−タの設定等を行うときに使用するスイッチを持つ。３３は視標呈示装置４に呈示させる視標を切換える視標スイッチ群、３４は呈示視標に必要なマスクをかけるマスクスイッチ群、３５はプログラム検眼を実行するスタ−トスイッチ、３６はプログラム検眼の検査段階を次のものに進める送りスイッチ、３７は変更する測定デ−タ等のモ−ドを指定する変更モ−ド指定スイッチ群、３８はデ−タを入力する際のモ−ド又は測定するモ−ドを指定する入力デ−タ指定スイッチ群、３９は他覚式眼屈折力測定装置やレンズメ−タ等からのデ−タを入力するときに使用するデ−タ入力スイッチ、４０はプリントスイッチ、４１は測定眼指定スイッチ、４２は測定値の変更や数値入力のときに使用するダイヤルスイッチである。
【００１６】
４３ａ，４３ｂはクロスシリンダを切換える切換えスイッチであり、これは処方段階における見え味の調整時にも使用する。４４はシフトスイッチであり、このスイッチを押しながら他のスイッチを押すことによりスイッチ機能を付加する。４５はファンクションスイッチ群であり、ディスプレイ３０の画面下方の所定位置に表示される種々のスイッチ表示に対応したものを選択するときに使用する。
【００１７】
図３は装置の制御を説明するためのブロック図である。コントロ−ラ５のスイッチ部３１からのスイッチ信号は、所定の処理が施された後にマイクロコンピュ−タ回路５０に入力される。マイクロコンピュ−タ回路５０には検眼プログラム等の制御プログラムを記憶したメモリ５１と測定データ等を記憶するメモリ５２が接続されている。マイクロコンピュ−タ回路５０はスイッチ信号をメモリ５１に記憶された制御プログラムに基づき各種デ−タに変換したり演算処理を行い、表示回路５３を介してディスプレイ３０の画面を制御する。また、変換信号をリレ−ユニット６のマイクロコンピュ−タ回路５５に入力する。マイクロコンピュ−タ回路５５は、屈折力に関するデ−タを自覚式屈折力検査装置２に、視標に関するデ−タを視標呈示装置４に送る。
【００１８】
屈折力に関するデ−タを受けた自覚式屈折力検査装置２のマイクロコンピュ−タ回路６０は、駆動回路６１を介してモ−タ６２を駆動し、弱球面ディスク６３、強球面ディスク６４、補助レンズディスク６５、クロスシリンダ−ディスク６６等を回転させ、所定の光学系を検査窓に配置する。また、マイクロコンピュ−タ回路６０はレンズユニット１０のスライドと煽り関する信号を受けると、駆動モ−タ２０４、２０７を駆動する。
【００１９】
視標に関するデ−タを受けた視標呈示装置４のマイクロコンピュ−タ回路７０は、視標投影用のランプ７２を点灯すると共に、駆動回路７３を介しモ−タ７４を駆動し、視標が描かれた視標ディスク７５、マスクディスク７６を回転して所定の検査視標を被検眼の前方に置かれた図示なきスクリ−ンに投影する。
【００２０】
マイクロコンピュ−タ回路５５には他覚式眼屈折力測定装置３やレンズメ−タ９が接続され、送られてくる測定デ−タをメモリ５６に格納する。コントロ−ラ５側のマイクロコンピュ−タ回路５０から読み出し指令信号が入力されると、マイクロコンピュ−タ回路５５は指定された測定デ−タをメモリ５６から読み出し、コントロ−ラ５側に転送する。
【００２１】
５７は測定結果を出力するプリンタであり、５８はその駆動回路である。
【００２２】
以上のような構成の装置のおいて、その動作を説明する。ここでは、検査項目及び検査手順が予め設定された検眼プログラムを使用した動作を説明する（図４参照）。
【００２３】
検査に際し、パラメ−タ設定や被検者の問診情報を入力するときは、設定切換えスイッチ群３２のメニュ−スイッチ３２ａを押す。ディスプレイ３０には、図６のような設定メニュ−画面が表示される。スイッチ群３２の移動スイッチ３２ｂ，３２ｃにより反転表示部分を移動することができ、実行スイッチ３２ｄにより反転表示項目が選択できる。
【００２４】
必要なパラメ−タの設定や問診情報が入力ができたら、スタ−トスイッチ３５を押して検眼プログラムを実行する。ディスプレイ３０には、他覚式眼屈折力測定装置３による測定デ−タの入力を促すメッセ−ジが表示される。
【００２５】
＜他覚値デ−タの入力＞
他覚式眼屈折力測定装置３により得られたＳ値（球面度数）、Ｃ値（乱視度数）、Ａ値（乱視軸角度）等の各他覚値デ−タは、他覚式眼屈折力測定装置３のプリントスイッチを押すことにより、リレ−ユニット６のマイクロコンピュ−タ回路５５を介してメモリ５６に記憶される。その後、コントロ−ラ５のデ−タ入力スイッチ３９を押し、続いて入力デ−タ指定スイッチ群３８の他覚スイッチを押すことにより、メモリ５６に記憶された他覚値デ−タがコントロ−ラ５側のメモリ５２の他覚値メモリエリアに転送記憶される。なお、他覚値デ−タの入力は通信によるデ−タ転送の他、変更モ−ド指定スイッチ群３７とダイヤルスイッチ４２等の操作により手入力で行ってもよい。
【００２６】
＜裸眼視力検査＞
他覚値デ−タの入力が完了すると、他覚値デ−タは自動的に自覚値メモリエリアにコピ−され、図６に示す画面例の左右表示部８１にはコピ−された１つ前のデ−タ（自覚値デ−タ＝他覚値デ−タ）が表示される。その後、検査項目は裸眼視力検査に移る。ディスプレイ３０の表示画面は自動的に右眼の裸眼視力値が入力可能なモ−ドに設定され、自覚値デ−タは左右表示部８１へ移る。図８はこのときの表示例である。中央表示部８０には現在の検査項目が表示され、リバ−ス表示される測定項目が入力可能になる。
【００２７】
本装置は他覚値デ−タに基づき予想される裸眼視力値を算出する機能を有しており、裸眼視力検査の開始時には、算出した予想視力値を持つ検査視標を視標呈示装置４に呈示させるように動作信号を発する。中央表示部８０のＶＡ欄には予想される裸眼視力値が表示され、中央表示部８０の下の操作説明エリア８２には現在呈示している視標図柄８３が表示される。検者は被検者の応答を得てマスクスイッチ群３４のスイッチ３４ａ，３４ｂで視標にマスクをかけ、呈示視標を変更することにより測定眼の裸眼視力値を得て、その入力を行う。この場合、被検眼の眼前には自覚式屈折力検査装置２を配置せずに被検者に遮眼子を持たせて検査を行っても良いし、測定眼側の検査窓を開口し、他眼を遮蔽にしても良い。
【００２８】
右眼の裸眼視力検査が終了したら、同様に左眼及び両眼の裸眼視力検査を行う。中央表示部８０のＶＡ欄には、右眼と左眼の高視力値が自動的に表示され、その値から検査を開始することができる。
【００２９】
＜眼鏡デ−タ入力＞
両眼の裸眼視力が入力できたら、送りスイッチ３６を押して次の検査項目に進める。ディスプレイ３０には眼鏡の有無（コンタクトレンズも含む）を確認する旨のメッセ−ジが表示され、画面下方には眼鏡の有無によるスイッチ操作指示が表示される。この指示に従い、眼鏡有りのファンクションスイッチ４５を押すと、眼鏡度数デ−タを入力できるモ−ドに切り替わる。眼鏡度数デ−タの入力は他覚値デ−タと同様にレンズメ−タ９からメモリ５６に転送にされて記憶された後、入力スイッチ３９、スイッチ群３８の眼鏡スイッチを押すことによりメモリ５２の前眼鏡メモリエリアに記憶される。なお、検査を始める前に予め眼鏡度数を入力しておいた場合は、ここでの眼鏡デ−タ入力の段階は省略される。
【００３０】
＜眼鏡視力検査＞
眼鏡度数デ−タの入力ができると、ディスプレイ３０の画面は右眼の眼鏡視力確認検査モ−ドに切替わる。自覚式屈折力検査装置２の検査窓には、眼鏡度数デ−タに相応した光学系が配置されるので、自覚式屈折力検査装置２を被検者の眼前に配置して検査することもできる。中央表示部８０の右眼のＶＡ欄には、他覚値デ−タと眼鏡度数デ−タとの差による残留度数に基づいた予想視力値が表示され、視標呈示装置４にはその視力値を持つ検査指標を呈示するように信号が発せられる。被検者の応答に基づいてスイッチ３４ａ，３４ｂで呈示指標を切換えることにより視力値を得て、その値が入力される。左眼、両眼も同様に検査を行うと裸眼視力検査のときと同様に視力値が入力される。
【００３１】
＜自覚値検査＞
以上のような入力ができたら、両眼それぞれの完全矯正値を求める検査に移る。実施例での検眼プログラムでは、他覚値デ−タの適否等を確認する他覚視力確認検査、乱視検査の前段階に行う第１のＲ／Ｇ（レッド・グリーン）検査、乱視軸検出検査、乱視度数検出検査、過矯正を防止して最高視力を得るための第２のＲ／Ｇ検査、及び視力検査を片眼ずつ行い、その後両眼バランス検査を行って両眼それぞれの片眼完全矯正値（本明細書では両眼バランス検査を行った後の左右それぞれの片眼完全矯正値を両眼完全矯正値という）を求めるようになっている。これらの検査も基本的に送りスイッチ３６を押すことにより、マイクロコンピュ−タ回路５０から自覚式屈折力検査装置２及び視標呈示装置４に検査に必要な動作信号が発せられ、順次検査が進められるようになっている（特願平８−１９２８３９号を参照）。検査により得られた両眼完全矯正値や視力値はメモリ５２に記憶される。
【００３２】
＜遠用矯正度数の調整＞
続いて遠用矯正度数の調整に移行する。本装置は、両眼完全矯正値と眼鏡データがあればそのデ−タとに基づき、違和感を軽減して装用に適すると予想される度数を自動算出する自動調整プログラムと、被検者の望む視力値を確保するための度数を自動算出する自動調整プログラムを有している。眼鏡を作る場合、通常、装用者が疲れにくいように違和感を軽減した処方度数を決定する（度数を急に強くすると慣れにくく疲れやすいのが一般的であり、眼鏡店ではクレ−ムになりにくい眼鏡を作ることを重視して処方度数を調整する）が、装用者によってはある程度の視力値を確保（例えば、運転免許の取得、更新にあたっての視力値を確保）するように望むことがあるからである。
【００３３】
送りスイッチ３６を押すと、ディスプレイ３０には図７のように自動調整プログラムをいずれのもので行うかを選択する画面が表示される。違和感を軽減した度数にする場合には「度数」とある方を、視力確保の度数にする場合には「視力」とある方を、その表示に対応したファンクションスイッチ４５で選択入力する。
【００３４】
（イ）度数優先の遠用矯正度数調整
まず、違和感を軽減した度数を優先する場合の自動調整プログラムを図８〜図１３のフロ−チャ−トを使用して説明する。これは図７の画面例において、「度数」の表示に対応したファンクションスイッチ４５の入力により実行される。なお、以下の説明で使用する“強度眼”は、両眼完全矯正のＳ値又はＣ値のそれぞれにおいて、その度数の絶対値が大きい方をいい、“弱度眼”はその逆をいうものとする。また、乱視（Ｃ値）はマイナス読みをする。
【００３５】
装置は、まず、両眼完全矯正値に基づいて乱視の有無の判定をする（ＳＴＥＰ  １−１）。乱視の有りのときはさらに斜乱視（ＡＸＩＳ：１５  °〜７５°又は１０５  °〜１６５  °）か否かの判定を行う（ＳＴＥＰ  １−２）。その後、両眼のＳ値により遠視（両眼ともプラス、又は片眼プラスで片眼が０）か近視（両眼ともマイナス、又は片眼マイナスで片眼が０）かの判定（ＳＴＥＰ  １−３  〜１−５）により、次の度数調整Ａ〜Ｆのいづれかの処理を行って調整度数を算出する。遠視と近視の区別ができないとき（片眼のＳ値がプラスでもう片眼のＳ値がマイナスのとき）は度数調整は行わず、検者が調整をする旨を表示する。
【００３６】
［自動調整Ａ：乱視無し、遠視の場合］
装置は、眼鏡度数デ−タの入力の有無（眼鏡歴の有無）により、被検者が初装か否かを判別する（ＳＴＥＰ  Ａ−１）。以下、自動調整Ｂ〜Ｆの場合も同じ。
【００３７】
〔Ａ−１〕初装のときは、次にＳ値の左右差を比較する（ＳＴＥＰ  Ａ−２）。Ｓ値の左右差が所定の度数差（以下、Ｓ値またはＣ値の左右差は、０．７５Ｄ以内に調整するものとして説明する）以内であれば、調整度数は両眼完全矯正値のままとする。Ｓ値の左右差が０．７５Ｄを越えた場合、強度眼のＳ値は弱度眼のＳ値に＋０．７５Ｄを加入した値にする（ＳＴＥＰ  Ａ−３）。
【００３８】
〔Ａ−２〕初装でないときは、Ｓ値の左右差を比較し（ＳＴＥＰ  Ａ−４）、左右差が０．７５Ｄを越える場合、強度眼側のＳ値は、弱度眼のＳ値に＋０．７５Ｄを加えた値と前眼鏡の同じ側のＳ値に所定度数（遠視のときは、以下＋０．７５Ｄとする）を加えた値との絶対値の大きい方を得て、その値が両眼完全矯正値を越えないようにする（ＳＴＥＰ  Ａ−５）。
【００３９】
［自動調整Ｂ：乱視無しの近視の場合］
〔Ｂ−１〕初装のときは、まず、両眼完全矯正のＳ値弱度眼を基準にして、図１４のｔａｂｌｅ  Ａの演算により補正量ΔＳ１を得て、両眼とも両眼完全矯正のＳ値から補正量ΔＳ１を減じる補正処理（以後、これを補正処理Ａ１とする）を行う（ＳＴＥＰ  Ｂ−２）。次に、補正処理後の左右差を比較し（ＳＴＥＰ  Ｂ−３）、その差が０．７５Ｄを越える場合には、強度眼側のＳ値は弱度眼のＳ値に−０．７５Ｄを加入した値にする（ＳＴＥＰ  Ｂ−４）。
【００４０】
〔Ｂ−２〕初装でないときは、左右のＳ値における前眼鏡と両眼完全矯正値の差の小さい方を基準にして、図１４のｔａｂｌｅ  Ｂの演算により補正量ΔＳ２を得て、両眼とも両眼完全矯正のＳ値から補正量ΔＳ２を減じる補正処理（以後、これを補正処理Ｂ１とする）を行う（ＳＴＥＰ  Ｂ−５）。次に、補正処理後のＳ値の左右差を比較し（ＳＴＥＰ  Ｂ−６）、その差が０．７５Ｄを越える場合、強度眼側のＳ値は、補正処理した弱度眼のＳ値に−０．７５Ｄを加えた値と前眼鏡のＳ値に所定度数（近視のときは、以下−０．７５Ｄとする）を加えた値との絶対値の大きい方を得て、その値が完全矯正値を越えないようにする（ＳＴＥＰ  Ｂ−７）。
【００４１】
［自動調整Ｃ：斜乱視のない乱視を持つ遠視の場合］
〔Ｃ−１〕初装のときは、まず、Ｃ値弱度眼の値を基準にして、図１４のｔａｂｌｅ  Ｃの演算により補正量ΔＣ１を得て、両眼とも両眼完全矯正のＣ値から補正量ΔＣ１を減じる補正処理（以後、これを補正処理Ｃ１とする）を行う（ＳＴＥＰ  Ｃ−２）。続いて、両眼のＳ値は共に両眼完全矯正値に補正量ΔＣ１の半分を加えて等価球面にした値にする（ＳＴＥＰ  Ｃ−３）。その後、得られたＳ値の左右差を比較し（ＳＴＥＰ  Ｃ−４）、０．７５Ｄを越える場合、強度眼側のＳ値は、弱度眼のＳ値に＋０．７５Ｄを加えた値にする（ＳＴＥＰ  Ｃ−５）。次に、補正処理Ｃ１後のＣ値の左右差を比較し（ＳＴＥＰ  Ｃ−６）、０．７５Ｄを越える場合、強度眼のＣ値は弱度眼のＣ値に−０．７５Ｄを加えた値とする（ＳＴＥＰ  Ｃ−７）。
【００４２】
〔Ｃ−２〕初装でないときは、まず、前眼鏡値の乱視の有無の判定（ＳＴＥＰ  Ｃ−８）に基づき、乱視がなければ初装のときと同じ度数調整を行う（ＳＴＥＰ  Ｃ−２  〜Ｃ−７）。前眼鏡値に乱視があるときは、左右のＣ値における前眼鏡値と両眼完全矯正値の差の小さい方を基準にして、図１４のｔａｂｌｅ  Ｄの演算により補正量ΔＣ２を得て、両眼とも両眼完全矯正のＣ値から補正量ΔＣ２を減じる補正処理（以後、これを補正処理Ｄ１とする）を行う（ＳＴＥＰ  Ｃ−９）。続いて、両眼のＳ値は共に両眼完全矯正値に補正量ΔＣ２の半分を加えて等価球面にした値にする（ＳＴＥＰ  Ｃ−１０）  。その後、得られたＳ値の左右差を比較し（ＳＴＥＰ  Ｃ−１１）  、その差が０．７５Ｄを越える場合、強度眼側のＳ値は、等価球面にした弱度眼のＳ値に＋０．７５Ｄを加えた値と前眼鏡の同じ側のＳ値に＋０．７５Ｄを加えた値との絶対値の大きい方を得て、その値が完全矯正値を越えないようにする（ＳＴＥＰ  Ｃ−１２）  。次に、補正処理Ｄ１後のＣ値の左右差が０．７５Ｄを越える場合（ＳＴＥＰ  Ｃ−１３）  、強度眼側のＣ値は、弱度眼のＣ値に−０．７５Ｄを加えた値と前眼鏡の同じ側のＣ値に−０．７５Ｄを加えた値との絶対値の大きい方を得て、その値が完全矯正値を越えないようにする（ＳＴＥＰ  Ｃ−１４）  。
［自動調整Ｄ：斜乱視のない乱視を持つ近視の場合］
〔Ｄ−１〕初装のときは、補正処理Ｃ１を行い（ＳＴＥＰ  Ｄ−２）、補正処理Ａ１を行う（ＳＴＥＰ  Ｄ−３）。その後、得られたＳ値の左右差を比較し（ＳＴＥＰ  Ｄ−４）、０．７５Ｄを越える場合、強度眼側のＳ値は弱度眼のＳ値に−０．７５Ｄを加えた値にする（ＳＴＥＰ  Ｄ−５）。次に、補正処理Ｃ１後のＣ値の左右差を比較し（ＳＴＥＰ  Ｄ−６）、０．７５Ｄを越える場合、強度眼のＣ値は弱度眼のＣ値に−０．７５Ｄを加えた値とする（ＳＴＥＰ  Ｄ−７）。
【００４３】
〔Ｄ−２〕初装でないときは、まず、前眼鏡度数の乱視の有無の判定を行う（ＳＴＥＰ  Ｄ−８）。乱視有りのときは、補正処理Ｄ１を行う（ＳＴＥＰ  Ｄ−９）。続いて、補正処理Ｂ１を行う（ＳＴＥＰ  Ｄ−１０）  。その後、得られたＳ値の左右差を比較し（ＳＴＥＰ  Ｄ−１１）  、０．７５Ｄを越える場合、強度眼側のＳ値は、弱度眼のＳ値に−０．７５Ｄを加えた値と前眼鏡の同じ側のＳ値に−０．７５Ｄを加えた値との絶対値の大きい方を得て、その値が完全矯正値を越えないようにする（ＳＴＥＰ  Ｄ−１２）  。次に、補正処理Ｄ１後のＣ値の左右差を比較し（ＳＴＥＰ  Ｄ−１３）  、０．７５Ｄを越える場合、強度眼側のＣ値は、弱度眼のＣ値に−０．７５Ｄを加えた値と同じ側の前眼鏡のＣ値に−０．７５Ｄを加えた値との絶対値の大きい方を得て、その値が完全矯正値を越えないようにする（ＳＴＥＰ  Ｄ−１４）  。
【００４４】
前眼鏡度数の乱視の有無の判定で乱視無しのときは、補正処理Ｃ１、補正処理Ｂ１を行う（ＳＴＥＰ  Ｄ−１５，Ｄ−１６）。その後、得られたＳ値の左右差を比較し（ＳＴＥＰ  Ｄ−１７）  、０．７５Ｄを越える場合、強度眼側のＳ値は弱度眼のＳ値に−０．７５Ｄを加えた値と前眼鏡の同じ側のＳ値に−０．７５Ｄを加えた値との絶対値の大きい方を得て、その値が完全矯正値を越えないようにする（ＳＴＥＰ  Ｄ−１８）  。次に、補正処理Ｃ１後のＣ値の左右差が０．７５Ｄを越える場合、強度眼側のＣ値は弱度眼のＣ値に−０．７５Ｄを加えた値とする（ＳＴＥＰ  Ｄ−１９，Ｄ−２０）。
【００４５】
［自動調整Ｅ：斜乱視を持つ遠視の場合］
〔Ｅ−１〕初装のときは、次に左右のＣ値が共に−０．５０Ｄ以下（以下、本明細書ではＣ値が−０．５０Ｄ以下とは度数の小さい方、すなわち−０．２５Ｄ又は−０．５０Ｄのことをいう）か否かを判別する（ＳＴＥＰ  Ｅ−２）。斜乱視ではＣ値が小さいときは乱視矯正を行わないほうが被検者にとって良いことが多いので、Ｃ値が共に−０．５  Ｄ以下のときは、乱視は無視するものとしてＣ値＝０にし、左右のＳ値はそれぞれのＣ値の半分を加えて等価球面にした値にする（ＳＴＥＰ  Ｅ−３）。その後、得られたＳ値の左右差を比較し（ＳＴＥＰ  Ｅ−４）、０．７５Ｄを越える場合、強度眼側のＳ値は弱度眼のＳ値に＋０．７５Ｄを加えた値とする（ＳＴＥＰ  Ｅ−５）。
【００４６】
Ｃ値が−０．５  Ｄ以下か否かの判別（ＳＴＥＰ  Ｅ−２）において、少なくとも左右いずれか一方のＣ値が−０．５  Ｄを越えるときは、補正処理Ｃ１を行い（ＳＴＥＰ  Ｅ−６）、両眼のＳ値は共に両眼完全矯正値に補正量ΔＣ１の半分を加えて等価球面にした値にする（ＳＴＥＰ  Ｅ−７）。続いて、得られたＳ値の左右差が０．７５Ｄを越える場合、強度眼側のＳ値は弱度眼のＳ値に＋０．７５Ｄを加えた値にする（ＳＴＥＰ  Ｅ−８，Ｅ−９）。次に、補正処理Ｃ１後のＣ値の左右差が０．７５Ｄを越える場合、強度眼のＣ値は弱度眼のＣ値に−０．７５Ｄを加えた値とする（ＳＴＥＰ  Ｅ−１０，Ｅ−１１）。
【００４７】
〔Ｅ−２〕被検者が初装でないときは、まず左右のＣ値が共に−０．５  Ｄ以下か否かを判別し（ＳＴＥＰ  Ｅ−１２）  、その後、それぞれ前眼鏡が乱視を持つか否かを判別する（ＳＴＥＰ  Ｅ−１３，Ｅ−１４）。
【００４８】
両眼完全矯正のＣ値が共に−０．５  Ｄ以内で前眼鏡が乱視を持たないときは、Ｃ値＝０にし、左右のＳ値はそれぞれのＣ値の半分を加えて等価球面にした値にする（ＳＴＥＰ  Ｅ−１５）  。その後、得られたＳ値の左右差を比較し（ＳＴＥＰ  Ｅ−１６）  、０．７５Ｄを越える場合、強度眼側のＳ値は、等価球面にした弱度眼のＳ値に＋０．７５Ｄを加えた値と前眼鏡の同じ側のＳ値に＋０．７５Ｄを加えた値との絶対値の大きい方を得て、その値が完全矯正値を越えないようにする（ＳＴＥＰ  Ｅ−１７）  。
【００４９】
両眼完全矯正のＣ値に拘らず前眼鏡が乱視を持つときは、ＳＴＥＰ  Ｃ−９〜Ｃ−１４と同様の処理を行う（ＳＴＥＰ  Ｅ−１８〜２３）  。
【００５０】
少なくとも左右いづれか一方のＣ値が−０．５  Ｄを越え、前眼鏡が乱視を持たないときは、補正処理Ｃ１を行い（ＳＴＥＰ  Ｅ−２４）  、両眼のＳ値は共に両眼完全矯正値に補正量ΔＣ１の半分を加えて等価球面にした値にする（ＳＴＥＰ  Ｅ−２５）  。続いて、得られたＳ値の左右差を比較し（ＳＴＥＰ  Ｅ−２６）  、その差が０．７５Ｄを越える場合はＳＴＥＰ  Ｃ−１２  と同様な処理を行う（ＳＴＥＰ  Ｅ−２７）  。次に、補正処理Ｃ１後のＣ値の左右差を比較し（ＳＴＥＰ  Ｅ−２８）  、左右差が０．７５Ｄを越える場合は、強度眼のＣ値は弱度眼のＣ値に−０．７５Ｄを加えた値とする（ＳＴＥＰ  Ｅ−２９）  。
【００５１】
［自動調整Ｆ：斜乱視を持つ近視の場合］
〔Ｆ−１〕初装のときは、次に左右のＣ値が共に−０．５  Ｄ以下か否かを判別する（ＳＴＥＰ  Ｆ−２）。Ｃ値が共に−０．５  Ｄ以内のときは、両方ともＣ値＝０にする（ＳＴＥＰ  Ｆ−３）。続いて、Ｓ値は補正処理Ａ１を行う（ＳＴＥＰ  Ｆ−４）。その後、得られたＳ値の左右差を比較し（ＳＴＥＰ  Ｆ−５）、左右差が０．７５Ｄを越える場合、強度眼側のＳ値は弱度眼のＳ値に−０．７５Ｄを加えた値とする（ＳＴＥＰ  Ｆ−６）。
【００５２】
Ｃ値が−０．５  Ｄ以下か否かの判別（ＳＴＥＰ  Ｆ−２）において、少なくとも左右いずれか一方のＣ値が−０．５  Ｄを越えるときは、補正処理Ｃ１を行う（ＳＴＥＰ  Ｆ−７）。続いて、Ｓ値は補正処理Ａ１を行う（ＳＴＥＰ  Ｆ−８）。その後、得られたＳ値の左右差を比較し（ＳＴＥＰ  Ｆ−９）、左右差が０．７５Ｄを越える場合、強度眼側のＳ値は弱度眼のＳ値に−０．７５Ｄを加えた値とする（ＳＴＥＰ  Ｆ−１０）  。次に、補正処理Ｃ１後のＣ値の左右差を比較し（ＳＴＥＰ  Ｆ−１１）  、左右差が０．７５Ｄを越える場合は、強度眼のＣ値は弱度眼のＣ値に−０．７５Ｄを加えた値とする（ＳＴＥＰ  Ｆ−１２）  。
【００５３】
〔Ｆ−２〕被検者が初装でないときは、まず左右の両眼完全矯正のＣ値が共に−０．５  Ｄ以下か否かを判別し（ＳＴＥＰ  Ｆ−１３）  、その後、それぞれ前眼鏡が乱視（Ｃ値）を持つか否かを判別する（ＳＴＥＰ  Ｆ−１４，Ｆ−１５）。
【００５４】
両眼完全矯正のＣ値が−０．５  Ｄ以内で前眼鏡が乱視を持たないときは、Ｃ値＝０にする（ＳＴＥＰ  Ｆ−１６）  。続いて、補正処理Ｂ１を行う（ＳＴＥＰ  Ｆ−１７）  。その後、得られたＳ値の左右差を比較し（ＳＴＥＰ  Ｆ−１８）  、左右差が０．７５Ｄを越える場合、強度眼側のＳ値はＳＴＥＰ  Ｂ−７と同様な処理を行う（ＳＴＥＰ  Ｆ−１９）  。
【００５５】
両眼完全矯正のＣ値に拘らず前眼鏡が乱視を持つときは、ＳＴＥＰ  Ｄ−９〜Ｄ−１４と同様の処理を行う（ＳＴＥＰ  Ｆ−２０〜Ｆ−２５）  。
【００５６】
少なくとも左右いずれか一方のＣ値が−０．５  Ｄを越え、前眼鏡が乱視を持たないときは、Ｃ値は補正処理Ｃ１を行い（ＳＴＥＰ  Ｆ−２６）  、Ｓ値は補正処理Ｂ１を行う（ＳＴＥＰ  Ｆ−２７）  。その後、得られたＳ値の左右差を比較し（ＳＴＥＰ  Ｆ−２８）  、左右差が０．７５Ｄを越える場合、強度眼側のＳ値はＳＴＥＰ  Ｂ−７と同様な処理を行う（ＳＴＥＰ  Ｆ−２９）  。次に、補正処理Ｃ１後のＣ値の左右差を比較し（ＳＴＥＰ  Ｆ−３０）  、左右差が０．７５Ｄを越える場合は、強度眼のＣ値は弱度眼のＣ値に−０．７５Ｄを加えた値とする（ＳＴＥＰ  Ｆ−３１）  。
【００５７】
以上のようにして、装置は遠視と近視の区別ができるときは、自動調整Ａ〜Ｆのいずれかの処理を行い、最適と予想される度数を自動的に算出する。
【００５８】
なお、上記の自動調整プログラムでは強度眼側のＳ値又はＣ値を調整する調整量は、同じ側の前眼鏡からの変化分の方を採用する場合、Ｓ値又はＣ値に対して±０．７５Ｄ（３段階）の調整をするものとしたが（ＳＴＥＰ  Ａ−５，Ｂ−７，Ｃ−１４等）  、被検者の年齢により±０．５０Ｄ（２段階）の調整量を変化させるようにしても良い。これは、年齢により前眼鏡の度数変化に対する適応能力に差があるからである。若い者ならば前眼鏡の度数に対して３段階（０．７５Ｄ）の変化があっても適応できるが、年齢が高くなると一般に２段階（０．５０Ｄ）の変化が限度くらいになる。したがって、被検眼の適応能力に応じて処方度数の調整量を変化させるようにすると、より装用者に適した処方にすることができる。度数調整量を変化は自動調整プログラムの実行前に予め入力できるようにしておく。
【００５９】
また、上記の実施例では補正処理Ａ１〜Ｄ１の補正量ΔＳ１，ΔＳ２，ΔＣ１，ΔＣ２は演算により得るものとしたが、それぞれテ−ブル表を予め用意しておいて、これらに基づいて得るようにすることもできる。
【００６０】
上記の自動調整プログラムでは、乱視は斜乱視（ＡＸＩＳ：１５  °〜７５°又は１０５  °〜１６５  °）か否かの２通りに分けて度数を算出するものとしたが、斜乱視でないときにはさらに直乱視（ＡＸＩＳ：０〜１４°又は１６６  °〜１８０  °）と倒乱視（ＡＸＩＳ：７４  °〜１０４  °）のいずれかにより調整度数の算出方法を変えると、より精度の高い調整を可能にし、被検者の苦痛とクレームの減少を図ることができる。これは次の理由による。
【００６１】
検眼は通常５ｍ等の遠用検査で行い、そこで求められた乱視度数を遠方はもちろん近方用の眼鏡でも利用する。近くを見るときは調節機能が働き眼内の水晶体が膨んで乱視度数に変化が起こる。人の水晶体は生理的に倒乱視（水平方向が垂直方向よりも光を強く曲げる状態）であり、調節機能が働くとその倒乱視の割合が増すことが多い。このため遠方での乱視度数は直乱視であれば近方を見たときにその乱視は弱まり、逆に倒乱視の場合は強まることになる。眼鏡等は遠方だけを見るためだけでなく、遠くから近くまでを見るために使用される（むしろ近くを見るほうのが使用頻度が高い）。近方を見るときの乱視の矯正効果を考えると、直乱視は弱めに、倒乱視は強め（完全矯正値に近く）に処方したほうが良いことになる。
【００６２】
そこで、上記の性質を利用して、直乱視及び倒乱視の場合を考慮した度数調整プログラムについて説明する（図１５〜１７参照）。斜乱視か否かの判定（ＳＴＥＰ  １−２）により、斜乱視でないと判定した後には直乱視か否かを判定する（ＳＴＥＰ  ２−１）。直乱視のときには前述と同様にＳＴＥＰ  １−４以降の手順により調整度数を算出する。直乱視でないとき（倒乱視のとき）は、まず、両眼のＳ値により遠視（両眼ともプラス、又は片眼プラスで片眼が０）か近視（両眼ともマイナス、又は片眼マイナスで片眼が０）かの判定（ＳＴＥＰ  ２−２  ）  を行い、図１６に示す自動調整２Ｃまたは図１７に示す自動調整２Ｄを行う。この場合の自動調整におけるＣ値は両眼完全矯正値のままであり、Ｓ値のみを前述の自動調整Ｃ及びＤと同様に調整する。
【００６３】
この方法は次のように変更することができる。例えば、Ｃ値の左右差を考慮するときは、弱度眼基準で３段階等の範囲に入るように強度眼側を調整するようにしても良い。
【００６４】
あるいは、直乱視のときの自動調整プログラム（図１０の自動調整Ｃ及び図１１の自動調整Ｄ）で使用する図１４に示したｔａｂｌｅ  Ｃ、ｔａｂｌｅ  Ｄにおいて、それぞれの補正量ΔＣ１、補正量ΔＣ２が少なくなるようにし、Ｃ値の調整度数がより完全矯正度数に近付くようにしても良い。すなわち、ｔａｂｌｅ  Ｃ、ｔａｂｌｅ  Ｄでの補正量ΔＣ１及び補正量ΔＣ２を求める演算式を次のように変更する。
【００６５】
Ｃ１／２→Ｃ１／３、Ｃ１／４、等
Ｃ２／２→Ｃ２／３、Ｃ２／４、等
また、これら直乱視のときのＣ値の調整量の変更は、パラメータセットメニュ−で検者が自由に設定できるようにしておくと、より検者の方針にあった調整度数を算出することができて都合が良い。
【００６６】
（ロ）視力優先の遠用矯正度数調整
次に、装用者が望む視力値を優先する場合の自動調整プログラムを説明する。図７の画面例において、「視力」の表示に対応したファンクションスイッチ４５を入力すると、さらに図１８のように、要望視力値を入力できる画面が表示される。視力値の入力はダイヤルスイッチ４２を操作して行う。なお、この場合には完全矯正値を求めたときの視力値より高い視力値は入力できないようになっている。
【００６７】
要望視力値の入力ができたら、画面下方の「実行」表示に対応したファンクションスイッチ４５を押すことにより自動調整プログラムが実行される。要望視力値に対する度数の算出は、図１９に示すテーブルに基づいて行われる。度数算出のテーブルは、完全矯正値を求めたときの視力値ＶＡ１  ごとの要望視力値ＶＡ２  に対し、完全矯正度数から減じる度数Ｄ０  を対応させる。例えば、完全矯正値を求めたときの視力値ＶＡ１  ＝１．０で、その完全矯正のＳ値＝−３．７５（Ｄ）のとき、要望視力値ＶＡ２  が０．８であるならば、テーブルより減じる度数Ｄ０  ＝−０．２５（Ｄ）であるので、調整度数は−３．７５（Ｄ）から−０．２５（Ｄ）を減じて−３．５０（Ｄ）となる。このテーブルはＳ値及びＣ値も共通であるが、Ｃ値は別途専用のテーブルを設けても良い。要望視力値に対する度数は、テーブルを使用せずに数式化しても良い。
【００６８】
また、前の眼鏡度数による視力値（初装者では裸眼視力値）及び完全矯正値を求めたときの視力値に要望視力値を対応させ、要望視力値に対する度数を算出するようにしても良い。こうすると被検者の個々の屈折力に応じてより適切な度数を算出することができる。
【００６９】
また、要望視力値に対する度数の算出は次のようにしても良い。前述の度数優先の遠用矯正度数調整の自動調整プログラムを実行した後、これにより算出された度数で被検者の要望する視力値が確保できるか判断し、視力値が確保できるときはその調整度数とすれば良い。あるいは、要望視力値による度数が、前述の度数優先の調整による度数よりも弱い（前眼鏡の度数に近い）場合、より眼鏡に慣れやすくなり、好都合のこともあるので、そのままの値としても良い。一方、被検者の要望する視力値が確保できないときは、算出された度数に基づいて要望する視力値が確保できる分の度数を加味する。加味する度数は予め用意したテ−ブルや計算により求めることができる。
【００７０】
＜検者による度数調整＞
自動調整プログラムの実行によりディスプレイ３０にはその結果が表示される。図２０は自動調整後のディスプレイ３０の画面例を示した図である。中央表示部８０は処方モ−ドに変わり、その表示のＳ値、Ｃ値は装置により自動調整された度数が表示され、中央表示部８０内の下には遠用度数を調整した旨のメッセ−ジが表示される。自覚式屈折力検査装置２の両検査窓には、自動調整された度数に対応する光学系がセットされ、視標呈示装置からは視力値０．９  〜１．２  の視標組みを持つ視力値視標が呈示される（要望視力値を入力したときは、その視力値を持つ視標が自動的に呈示される）。検者は調整された度数の見え味を確認して、遠用矯正度数をスイッチ操作により微調整する。
【００７１】
装置は、自動調整プログラムにより算出された度数が持つ遠視か近視、乱視の有無、斜乱視の有無に基づき、スイッチ入力がなされると調整すべき項目の度数を変化させる手動調整用の制御プログラムを有している（図２１、２２参照）。自動調整プログラムを実行したときは、被検者の見え味の応答を得て切換えスイッチ４３ａ又は４３ｂを入力することにより、調整すべき項目の度数が自動的に調整される。この制御プログラムの詳細は特願平８−１９２８３９号を参照されたい。検者の微調整による結果はメモリ５２に記憶される。
【００７２】
遠用矯正度数の調整ができたら必要により近用検査を行った後、処方度数を決定し、検査結果をプリントアウトして自覚検査を終了する。
【００７３】
このようにして得られた被検者それぞれの結果はメモリ５２（記憶容量に限りがあるときは、リレーユニット６側のメモリ５６）に記憶されていく。この検査結果を多数の被検者について記憶していき、その多数の検査結果を統計的に処理して自動調整プログラムによる度数算出方法にフィードバックすると、検者が微調整した値により近いものを装置に算出させることができるようになる。この方法について説明する。
【００７４】
前述した自動調整プログラム（図８〜図１３のフローチャートで示したもの）では、Ｓ値及びＣ値の調整を補正処理Ａ１〜Ｄ１に基づいて行うようにしたものがある。これらの補正処理で使用している算出式は、
補正後のＳ値＝両眼完全矯正Ｓ値−（両眼完全矯正Ｓ値−前眼鏡Ｓ値）／２……（数式１）
補正後のＣ値＝両眼完全矯正Ｃ値−（両眼完全矯正Ｃ値−前眼鏡Ｃ値）／２……（数式２）
と言い換えることができる。初装者のときは前眼鏡Ｓ値及び前眼鏡Ｃ値＝０とすれば良い。
【００７５】
ここで、数式１、数式２の補正量算出の項にそれぞれ変数となる補正係数α、βを乗ずるように考え、
補正後のＳ値＝両眼完全矯正Ｓ値−｛（両眼完全矯正Ｓ値−前眼鏡Ｓ値）／２｝α……（数式３）
補正後のＣ値＝両眼完全矯正Ｃ値−｛（両眼完全矯正Ｃ値−前眼鏡Ｃ値）／２｝β……（数式４）
とする。この補正係数α、βは自動調整プログラムにより算出される調整度数と、検者が微調整した後の処方度数の開きを埋め合わせるための補正係数である（補正係数α、βの初期設定値＝１としておく）。
【００７６】
検者が微調整した後の処方度数と両眼完全矯正、及び前眼鏡がある場合はこれも加味してそれぞれＳ値、Ｃ値の成分を上記の数式３、４にあてはめ、それぞれの補正係数α、βを求める。多数の被検者分のデータ（例えば、１００人〜１０００人分のようにサンプル数が多い方が有利である）が集まったところで、それぞれの補正係数α、βの平均値を出して数式３、４にフィードバックをかけ、これを自動調整プログラムでの補正処理Ａ１〜Ｄ１に使用する。これにより自動調整プログラムで算出される調整度数が、検者が行う微調整後の度数に近付くようになり、装置ごとにその検者の好む度数が算出されるようになる。したがって、自動調整後の微調整がスムーズに行き、検査効率を向上させることができるようになる。
【００７７】
なお、被検者ごとに求めた補正係数α、βのフィードバックは、ある程度の多数のデ−タが求まったところで行っても良いし（これはその装置の担当の検者が変わったときなどに有効）、最初からデータが得られるごとに行うようにすることもできる。
【００７８】
【発明の効果】
以上説明したように、本発明によれば、乱視眼の適切な処方度数を得ることができる。また、検眼の知識に乏しい検者や経験の浅い検者でも、装置を容易に操作できる。
【図面の簡単な説明】
【図１】実施例の検眼装置の全体構成を示す外観図である。
【図２】コントローラを上から見た図である。
【図３】実施例の装置の制御を説明する図である。
【図４】実施例の検眼プログラムのフローチャートを示す図である。
【図５】ディスプレイに表示される設定メニューの画面例を示す図である。
【図６】裸眼視力検査開始時の画面例を示す図である。
【図７】自動調整プログラムをいずれのもので行うかを選択する画面例を示す図である。
【図８】度数優先の自動調整プログラムを説明するフローチャートである。
【図９】度数優先の自動調整プログラムを説明するフローチャートである。
【図１０】度数優先の自動調整プログラムを説明するフローチャートである。
【図１１】度数優先の自動調整プログラムを説明するフローチャートである。
【図１２】度数優先の自動調整プログラムを説明するフローチャートである。
【図１３】度数優先の自動調整プログラムを説明するフローチャートである。
【図１４】矯正度数を調整する補正量を得るためのｔａｂｌｅ  Ａ〜Ｄの演算を示す図である。
【図１５】直乱視及び倒乱視の場合を考慮した度数調整プログラムを説明する図である。
【図１６】直乱視及び倒乱視の場合を考慮した度数調整プログラムを説明する図である。
【図１７】直乱視及び倒乱視の場合を考慮した度数調整プログラムを説明する図である。
【図１８】視力値優先の自動調整プログラムを選択した場合の、要望視力値を入力する画面例を示す図である。
【図１９】要望視力値に対する度数の算出い使用するテ−ブル例を示した図である。
【図２０】自動調整後の表示画面例を示す図である。
【図２１】手動調整用の制御プログラムを示す図である。
【図２２】手動調整用の制御プログラムを示す図である。
【符号の説明】
２  自覚式屈折力測定装置
５  コントローラ
３０  ディスプレイ
３１  スイッチ部
３６  送りスイッチ
５０  マイクロコンピュタ
５１、５２  メモリ
【図１】
0003606698.tif 000002
【図２】
0003606698.tif 000003
【図３】
0003606698.tif 000004
【図４】
0003606698.tif 000005
【図５】
0003606698.tif 000006
【図６】
0003606698.tif 000007
【図７】
0003606698.tif 000008
【図１８】
0003606698.tif 000009
【図８】
0003606698.tif 000010
【図９】
0003606698.tif 000011
【図１０】
0003606698.tif 000012
【図１１】
0003606698.tif 000013
【図１２】
0003606698.tif 000014
【図１３】
0003606698.tif 000015
【図１４】
0003606698.tif 000016
【図１５】
0003606698.tif 000017
【図１６】
0003606698.tif 000018
【図１７】
0003606698.tif 000019
【図１９】
0003606698.tif 000020
【図２０】
0003606698.tif 000021
【図２１】
0003606698.tif 000022
【図２２】
0003606698.tif 000023